(57)【要約】【課題】広角端の画角が７５°を超え、倍率比が２．５倍以上で、手振れ補正機構を小型にすることができるズームレンズを提供すること。【解決手段】物体側から像面側へ順に、正の屈折力の第１レンズ群ＬＧ１、負の屈折力の第２レンズ群ＬＧ２、正の屈折力の第３レンズ群ＬＧ３、正の屈折力の第４レンズ群ＬＧ４で構成し、第１レンズ群ＬＧ１ないし第４レンズ群ＬＧ４の各レンズ群の間隔を変化させて変倍を行い、第３レンズ群の一部のレンズが光軸と垂直方向へ移動して、手振れ補正を行い、下記の条件式（１）を満足する大口径ズームレンズ。  0.7＜(F12W×F12T)/(F34W×F34T)＜1.1【選択図】図１
2013044795.tif 000002
【特許請求の範囲】
【請求項１】
物体側から像面側へ順に、正の屈折力の第１レンズ群ＬＧ１、負の屈折力第２レンズ群ＬＧ２、の屈折力第３レンズ群ＬＧ３、正の屈折力第４レンズ群ＬＧ４で構成し、第１レンズ群ＬＧ１ないし第４レンズ群ＬＧ４の各レンズ群の間隔を変化させて変倍を行い、第３レンズ群の一部のレンズが光軸と垂直方向へ移動して、手振れ補正を行い、下記の条件式（１）を満足することを特徴する大口径ズームレンズ。
0.7＜(F12W×F12T)/(F34W×F34T)＜1.1                      ・・・・・（１）
但し
F12W  ：  広角端で第1群と第2群の合成焦点距離
F34W  ：  広角端で第3群と第4群の合成焦点距離
F12T  ：  望遠端で第1群と第2群の合成焦点距離
F34T  ：  望遠端で第3群と第4群の合成焦点距離
【請求項２】
請求項１に記載の大口径ズームレンズにおいて、広角端における絞り位置と広角端の焦点距離Fｗが、以下の条件式（２）を満足することを特徴とする大口径ズームレンズ。
3.2＜ST_W/Fｗ＜4                                    ・・・・・（２）
但し
ST_W   ：  広角端における、絞りから結像面までの距離
Fｗ    ：  広角端における光学全系の焦点距離
【請求項３】
請求項１に記載の大口径ズームレンズにおいて、第３レンズ群ＬＧ３の焦点距離と第４レンズ群ＬＧ４の焦点距離は下記の条件式（３）を満足することを特徴とする大口径ズームレンズ。
1.0＜F3/F4＜1.5                                        ・・・・・（３）
但し
F3  ：  第3レンズ群LG3の焦点距離
F4  ：  第4レンズ群LG4の焦点距離
【発明の詳細な説明】
【技術分野】
【０００１】
本発明は、広角端の画角が７５°を超え、変倍比が２．５倍以上、かつ全ズーム域での口径比が２．９程度である、３５mm判一眼レフカメラに適した広角な大口径ズームレンズに関する。
【背景技術】
【０００２】
近年の光学設計及び製造技術の進歩により、ズームレンズは、口径比が２．９程度でありながら、小型化が図られている以下のズームレンズが提案させている。
【０００３】
従来のズームレンズの一つは、
物体側から順に、正の屈折力を有する第１レンズ群Ｇ１と、負の屈折力を有する第２レンズ群Ｇ２と、正又は負の屈折力を有する第３レンズ群Ｇ３と、正の屈折力を有する第４レンズ群Ｇ４とを有し、前記第１レンズ群Ｇ１と前記第２レンズ群Ｇ２との空気間隔、前記第２レンズ群Ｇ２と前記第３レンズ群Ｇ３との空気間隔、及び前記第３レンズ群Ｇ３と前記第４レンズ群Ｇ４との空気間隔を変化させることによって変倍するズームレンズにおいて、前記第２レンズ群Ｇ２は、物体側から順に、像側に凹面を向けた負レンズ成分を含む第１の負レンズ成分Ｌ２１と、物体側に凹面を向けた負レンズ成分を含む第２の負レンズ成分Ｌ２２と、正レンズ成分Ｌ２ｐと負レンズ成分Ｌ２ｎとの接合よりなり物体側に凸面を向けた接合正レンズ成分Ｌ２ｐｎを含む正レンズ成分Ｌ２３と、物体側に凹面を向けた第３の負レンズ成分Ｌ２４とを有し、前記第４レンズ群Ｇ４は、物体側から順に、正の屈折力を有する正レンズ成分Ｌ４１と少なくとも１面の非球面を備えるレンズ成分Ｌaspを含む負レンズ成分Ｌ４２とを有し、前記第４レンズ群Ｇ４の前記負レンズ成分Ｌ４２中の前記非球面は、光軸から垂直方向の高さｙにおける各非球面の頂点の接平面から光軸方向に沿った距離をＳ（ｙ）、近軸曲率半径をＲ、円錐係数をκ、ｎ次の非球面係数をＣｎとそれぞれしたとき、
（数式１）Ｓ（ｙ）＝（ｙ2／Ｒ）／〔１＋（１−κ・ｙ2／Ｒ2）1/2〕＋Ｃ3・｜ｙ｜3＋Ｃ4・ｙ4＋Ｃ5・｜ｙ｜5＋Ｃ6・ｙ6＋Ｃ7・｜ｙ｜7＋Ｃ8・ｙ8＋Ｃ10・ｙ10＋Ｃ12・ｙ12＋Ｃ14・ｙ14
の非球面式で表され、前記非球面の３次の非球面係数をＣ３ｂとしたとき、（１） １×１０-7≦｜Ｃ３ｂ｜≦１×１０-3の条件を満足することを特徴とするズームレンズ（例えば、特許文献１参照）。
【０００４】
従来技術の他のズームレンズとしては、
物体側より順に正の屈折力の第１レンズ群、負の屈折力の第２レンズ群、正の屈折力の第３レンズ群、正の屈折力の第４レンズ群とを有し、広角端から望遠端への変倍に際し、第１レンズ群と第２レンズ群との空気間隔が広がり、第２レンズ群と第３レンズ群との空気間隔が狭まり、第３レンズ群と第４レンズ群との空気間隔が狭まり、且つ各レンズ群は物体方向へ移動し、フォーカシングの際は第２レンズ群のみを移動して行うズームレンズにおいて
（１）０．１８＜｜ｆ２｜／ｆＴ＜０．２４
（２）１．１＜ｆ１／ｆＴ＜１．５
（３）０．６＜ｆ４／ｆＴ＜０．９
（４）０．５７＜Ｚ２／Ｚ＜０．６７
但し、
ｆＴ：望遠端における全系の焦点距離、
ｆ２：第２レンズ群の焦点距離、
ｆ１：第１レンズ群の焦点距離、
ｆ４：第４レンズ群の焦点距離、
Ｚ２＝β２Ｔ／β２Ｗ、
β２Ｗ：広角端における第２レンズ群の結像倍率（β２Ｗ＜０）、
β２Ｔ：望遠端における第２レンズ群の結像倍率（β２Ｔ＜０）、
Ｚ＝ｆＴ／ｆＷ、
ｆＷ：広角端における全系の焦点距離が提案されている（例えば、特許文献２参照）。
【０００５】
従来技術の他のズームレンズとしては、物体側から順に、正の屈折力を持つ第１レンズ群、負の屈折力をもつ第２レンズ群、正の屈折力を持つ第３レンズ群、正の屈折力をもつ第４レンズ群で構成し、広角端から望遠端への変倍により第１レンズ群と第２レンズ群の間隔が広がり、第２レンズ群と第３レンズ群の間隔が狭まり、第３レンズ群と第４レンズ群の間隔が狭まるように移動し、
前記第３レンズ群が、物体側から順に、正の屈折力を持つ第３前群と、負の屈折力を持つ第３後群とからなり、手振れ発生時の像面補正は第３後群のみを光軸と直交する方向へ移動させることで行い、
前記第４レンズ群が最も物体側に凹レンズを有することを特徴とする大口径ズームレンズが提案されている（例えば、特許文献３参照）。
【先行技術文献】
【特許文献】
【０００６】
【特許文献１】特開２０００−３２１４９７号
【特許文献２】特開２００４−２０２７３９号
【特許文献３】特開２０１０−２６６５３４号
【発明の概要】
【発明が解決しようとする課題】
【０００７】
特許文献１に開示されているズームレンズは、変倍比が3倍以上であって、広角端の口径比が２．９であるが、望遠端で口径比は４．０程度と非常に暗く、さらに手振れ補正機能がないので、手振れによる弊害が大きい問題がある。望遠端の口径比が２．９程度と明るくなると、第３及び４レンズ群の有効径が大幅に大きくなり、手振れ補正のために光軸に直交さて移動させるレンズの重量が大きくなり、手振れ補正機構の負荷が大きく、防振ユニットの容積も大きくなってレンズ鏡筒への組み込みが困難になるという問題がある。
【０００８】
特許文献２に開示されたズームレンズは、変倍比が２．５倍以上であって、全ズーム域の口径比が２．９である。第１レンズ群は、小径軽量であるが、手振れ補正機構の組み込みを何ら考慮も示唆もしていない。特に、第３レンズ群及び第４レンズ群の直径が大きいため、手振れ補正機構が膨大となる問題がある。
【０００９】
特許文献３に開示されたズームレンズは、変倍比が２．５倍以上、全ズーム域における口径比が２．９であり、手振れ補正機構を組み込むことも可能である。しかし、結像画面のサイズは、ＡＰＳ−Ｃ、すなわち３５ｍｍ判の０．７倍程度であるため、３５mm判のサイズを拡大すると、手振れ補正機構のサイズが膨大化し、レンズ全体の小型化に反することになる。
【００１０】
（発明の目的）
本発明は、従来のズームレンズの上述した問題点に鑑みてなされたものであって、広角端の画角が７５°を超え、倍率比が２．５倍以上で、手振れ補正機構を小型にすることができるズームレンズを提供することを目的とする。
【課題を解決するための手段】
【００１１】
本発明は、
物体側から像面側へ順に、正の屈折力の第１レンズ群ＬＧ１、負の屈折力第２レンズ群ＬＧ２、の屈折力第３レンズ群ＬＧ３、正の屈折力第４レンズ群ＬＧ４で構成し、第１レンズ群ＬＧ１ないし第４レンズ群ＬＧ４の各レンズ群の間隔を変化させて変倍を行い、第３レンズ群の一部のレンズが光軸と垂直方向へ移動して、手振れ補正を行い、下記の条件式（１）を満足することを特徴する大口径ズームレンズ。
0.7＜(F12W×F12T)/(F34W×F34T)＜1.1                      ・・・・・（１）
但し
F12W  ：  広角端で第1群と第2群の合成焦点距離
F34W  ：  広角端で第3群と第4群の合成焦点距離
F12T  ：  望遠端で第1群と第2群の合成焦点距離
F34T  ：  望遠端で第3群と第4群の合成焦点距離
である。
【発明の効果】
【００１２】
本発明の大口径ズームレンズによれば、広角端の画角が７５°を超え、倍率比が２．５倍以上で、手振れ補正機構を小型にすることができる効果を得ることができる。
【００１３】
（本発明の実施態様１）
上述した大口径ズームレンズにおいて、広角端における絞り位置と広角端の焦点距離Fｗが、以下の条件式（２）を満足することを特徴とする。
3.2＜ST_W/Fｗ＜4                                    ・・・・・（２）
但し
ST_W   ：  広角端における、絞りから結像面までの距離
Fｗ    ：  広角端における光学全系の焦点距離
【００１４】
（本発明の実施態様２）
上述した大口径ズームレンズにおいて、第３レンズ群ＬＧ３の焦点距離と第４レンズ群ＬＧ４の焦点距離は下記の条件式（３）を満足することを特徴とする。
1.0＜F3/F4＜1.5                                        ・・・・・（３）
但し
F3  ：  第3レンズ群LG3の焦点距離
F4  ：  第4レンズ群LG4の焦点距離
【００１５】
（条件式１の作用効果）
条件式（１）の上限を超えると、第１レンズ群と第２レンズ群の合成焦点距離が弱くなり、第３レンズ群と第４レンズ群を小型化することに有利である。しかし、第１レンズ群と第２レンズ群の有効径大きくなり、鏡筒の前方部分の小型化が困難となる。
条件式（１）の下限を超えると、第１レンズ群と第２レンズ群の有効径小さくなり、鏡筒の前方部分の小型化になるが、第３レンズ群と第４レンズ群の直径が大きくなり、手振れ補正機構とフォーカス駆動モータユニットの小型化が困難となる。
【００１６】
（条件式２の作用効果）
条件式（２）の上限を超えると、絞りと結像面との間隔が大きくなり、第３レンズ群と第４レンズ群の有効径が大きくなり、手振れ補正機構とフォーカス駆動モータユニットの小型化が困難となる。
条件式（２）の下限を超えると、第３レンズ群と第４レンズ群の径方向サイズ小さくできるが、絞りと結像面が近くなり、防振ユニットと駆動モータのスペースが足りなくなる。
【００１７】
（条件式３の作用効果）
条件式（３）の上限を超えると、広角端でレンズバック（バックフォーカス）が取り易いが、第４レンズ群の直径が大きくなる。
条件式（３）の下限を超えると、第４レンズ群の小型化に有利であるが、広角端でレンズバック（バックフォーカス）が不足する。
【図面の簡単な説明】
【００１８】
【図１】本発明の第１実施形態の大口径ズームレンズの広角端、中間、望遠端のズーム状態のレンズ断面図である。
【図２】本発明の第１実施形態の大口径ズームレンズの広角端ズーム状態における無限遠合焦状態のコマ収差図である。
【図３】本発明の第１実施形態の大口径ズームレンズの広角端ズーム状態における無限遠合焦状態の球面収差図、非点収差図、歪曲収差図、倍率収差図である。
【図４】本発明の第１実施形態の大口径ズームレンズの中間ズーム状態における無限遠合焦状態のコマ収差図である。
【図５】本発明の第１実施形態の大口径ズームレンズの中間ズーム状態における無限遠合焦状態の球面収差図、非点収差図、歪曲収差図、倍率収差図である。
【図６】本発明の第１実施形態の大口径ズームレンズの望遠端ズーム状態における無限遠合焦状態のコマ収差図である。
【図７】本発明の第１実施形態の大口径ズームレンズの望遠端ズーム状態における無限遠合焦状態の球面収差図、非点収差図、歪曲収差図、倍率収差図である。
【図８】本発明の第２実施形態の大口径ズームレンズの広角端、中間、望遠端のズーム状態のレンズ断面図である。
【図９】本発明の第２実施形態の大口径ズームレンズの広角端ズーム状態における無限遠合焦状態のコマ収差図である。
【図１０】本発明の第２実施形態の大口径ズームレンズの広角端ズーム状態における無限遠合焦状態の球面収差図、非点収差図、歪曲収差図、倍率収差図である。
【図１１】本発明の第２実施形態の大口径ズームレンズの中間ズーム状態における無限遠合焦状態のコマ収差図である。
【図１２】本発明の第２実施形態の大口径ズームレンズの中間ズーム状態における無限遠合焦状態の球面収差図、非点収差図、歪曲収差図、倍率収差図である。
【図１３】本発明の第２実施形態の大口径ズームレンズの望遠端ズーム状態における無限遠合焦状態のコマ収差図である。
【図１４】本発明の第２実施形態の大口径ズームレンズの望遠端ズーム状態における無限遠合焦状態の球面収差図、非点収差図、歪曲収差図、倍率収差図である。
【図１５】本発明の第３実施形態の大口径ズームレンズの広角端、中間、望遠端のズーム状態のレンズ断面図である。
【図１６】本発明の第３実施形態の大口径ズームレンズの広角端ズーム状態における無限遠合焦状態のコマ収差図である。
【図１７】本発明の第３実施形態の大口径ズームレンズの広角端ズーム状態における無限遠合焦状態の球面収差図、非点収差図、歪曲収差図、倍率収差図である。
【図１８】本発明の第３実施形態の大口径ズームレンズの中間ズーム状態における無限遠合焦状態のコマ収差図である。
【図１９】本発明の第３実施形態の大口径ズームレンズの中間ズーム状態における無限遠合焦状態の球面収差図、非点収差図、歪曲収差図、倍率収差図である。
【図２０】本発明の第３実施形態の大口径ズームレンズの望遠端ズーム状態における無限遠合焦状態のコマ収差図である。
【図２１】本発明の第３実施形態の大口径ズームレンズの望遠端ズーム状態における無限遠合焦状態の球面収差図、非点収差図、歪曲収差図、倍率収差図である。
【図２２】本発明の第４実施形態の大口径ズームレンズの広角端、中間、望遠端のズーム状態のレンズ断面図である。
【図２３】本発明の第４実施形態の大口径ズームレンズの広角端ズーム状態における無限遠合焦状態のコマ収差図である。
【図２４】本発明の第４実施形態の大口径ズームレンズの広角端ズーム状態における無限遠合焦状態の球面収差図、非点収差図、歪曲収差図、倍率収差図である。
【図２５】本発明の第４実施形態の大口径ズームレンズの中間ズーム状態における無限遠合焦状態のコマ収差図である。
【図２６】本発明の第４実施形態の大口径ズームレンズの中間ズーム状態における無限遠合焦状態の球面収差図、非点収差図、歪曲収差図、倍率収差図である。
【図２７】本発明の第４実施形態の大口径ズームレンズの望遠端ズーム状態における無限遠合焦状態のコマ収差図である。
【図２８】本発明の第４実施形態の大口径ズームレンズの望遠端ズーム状態における無限遠合焦状態の球面収差図、非点収差図、歪曲収差図、倍率収差図である。
【発明を実施するための形態】
【００１９】
（第１実施形態）
本発明の第１実施形態の大口径ズームレンズは、正、負、正、正の４レンズ群構成であって、各レンズ面NSの曲率半径R（mm）、各レンズ中心厚及びレンズの空気間隔D（mm）、各レンズのｄ線における屈折率Nd及びアッベ数ABVの値を以下に示す。
【００２０】
焦点距離：24.7〜42.5〜73.0
2ω：     84.77〜53.11〜32.10
FNO：     2.9〜2.9〜2.9
【００２１】
NS            R           D          Nd       ABV
1         284.1445      1.5000     1.84666  23.78
2          91.1772      7.5095     1.61800  63.39
3        1369.2772      0.2000
4          64.2551      6.3394     1.83481  42.72
5         171.2861     D( 5)
6 ASPH    438.6450      0.3000     1.51460  49.96
7         120.1355      1.0000     1.83400  37.34
8          18.1801      8.4904
9         -35.1683      1.7068     1.72916  54.67
10          24.1587      7.0000     1.90366  31.31
11         -53.3407      3.3989
12         -21.5164      0.8000     1.49700  81.61
13         -41.7143     D(13)
14 STOP      INF         1.0000
15 ASPH     36.5137      5.6750     1.61881  63.85
16 ASPH    -62.6467      0.1500
17         329.4506      2.7512     1.61800  63.39
18         -91.4232      0.1500
19         841.9823      4.8114     1.49700  81.61
20         -33.0923      0.8000     1.90366  31.31
21         -86.5152      2.3149
22 ASPH    -54.5935      1.3000     1.83441  37.28
23          38.5158      3.0000     1.80809  22.76
24         140.9661     D(24)
25          28.3190      5.0368     1.49700  81.61
26        -446.7281      1.5000     1.90366  31.31
27          61.1653      7.3881     1.61800  63.39
28         -36.7275      0.1500
29 ASPH   -187.7616      1.7000     1.80610  40.74
30 ASPH    500.0000     D(30)
【００２２】
上記数値表において、ASPHは、下記非球面式で示される非球面である。
2013044795.tif 000003
【００２３】
非球面係数の値は、以下のとおりである。
ASPH  ε        2(A)         4(B)          6(C)          8(D)          10(E)
6  1.0000 0.00000e+000  1.45719e-005 -2.72908e-008  1.07450e-010  -2.85587e-013
15 -0.6694 0.00000e+000 -4.64766e-008  6.37463e-009 -3.35425e-011  -4.67493e-015
16  1.0000 0.00000e+000  2.04771e-006  1.26450e-008 -7.89752e-011   6.36275e-014
22  1.0000 0.00000e+000  4.90553e-006  1.12211e-008 -9.95818e-011   2.11820e-013
29  1.0000 0.00000e+000  5.24453e-006 -9.59672e-009 -6.16871e-011  -1.13177e-013
30  1.0000 0.00000e+000  2.25710e-005  9.35597e-009 -9.31938e-012  -1.20481e-013
【００２４】
ズーム作動の各焦点距離（ｍｍ）におけるレンズ間隔の変化は、以下の通りである。
F     24.7000    42.5000    73.0000
D( 5)    3.3640    19.1939    38.1742
D(13)   19.4664     8.2810     1.5000
D(24)    7.2251     2.9962     1.2000
D(30)   42.0419    54.9368    66.4861
【００２５】
条件式（１）（２）（３）の数値データは、以下の通りである。
（１）  (F12W×F12T)/(F34W×F34T)＝0.973
（２）  ST_W/Fw  ＝3.522
（３）  F3/F4＝1.191
【００２６】
（第２実施形態）
本発明の第２実施形態の大口径ズームレンズは、正、負、正、正の４レンズ群構成であって、各レンズ面NSの曲率半径R（mm）、各レンズ中心厚及びレンズの空気間隔D（mm）、各レンズのｄ線における屈折率Nd及びアッベ数ABVの値を以下に示す。
【００２７】
焦点距離：24.7〜42.5〜67.8
2ω：     84.87〜53.22〜34.53
FNO：     2.9〜2.9〜2.9
【００２８】
NS            R           D          Nd       ABV
1         661.1552      1.5000     1.92286  20.88
2         130.3213      6.3139     1.80420  46.50
3       -4565.3056      0.2000
4          60.6091      6.8498     1.80420  46.50
5         148.7375     D( 5)
6 ASPH    344.1297      0.3000     1.51460  49.96
7         114.8646      1.2000     1.83400  37.34
8          17.3354      8.4450
9         -36.7842      1.0000     1.71300  53.94
10          22.9590      6.8000     1.90366  31.31
11         -56.2998      4.0777
12         -22.5064      0.8000     1.49700  81.61
13         -51.8673     D(13)
14 STOP      INF         1.0000
15 ASPH     45.7224      7.6076     1.61881  63.85
16 ASPH   -104.4322      0.1500
17          69.7256      7.3476     1.49700  81.61
18         -24.0128      0.8000     1.90366  31.31
19         -36.5100      1.2947
20 ASPH    -48.9833      1.3000     1.69350  53.20
21          36.0273      3.0000     1.75520  27.53
22         104.9515     D(22)
23          25.2714      7.2848     1.49700  81.61
24         -64.3808      0.2000
25        -242.5653      2.1761     1.90366  31.31
26          44.4610      6.0595     1.71300  53.94
27         -44.4610      0.2000
28 ASPH    -52.0680      1.5000     1.82080  42.71
29 ASPH    203.3517      2.7510
30         -95.2430      3.0000     1.74330  49.22
31         -50.7974     D(31)
【００２９】
非球面係数の値は、以下のとおりである。
ASPH  ε        2(A)        4(B)           6(C)          8(D)          10(E)
6  1.0000 0.00000e+000 1.43935e-005  -2.45660e-008  6.65662e-011  -1.34219e-013
15  0.4440 0.00000e+000 2.18447e-006   1.98060e-008 -3.88625e-011   3.06529e-013
16  1.0000 0.00000e+000 6.15022e-006   3.73506e-009  1.49775e-010  -6.34135e-013
20  1.0000 0.00000e+000 4.18498e-006  -2.60360e-009  3.22818e-011  -1.38649e-013
28  1.0000 0.00000e+000 4.42927e-006  -2.07331e-008  4.06536e-011  -1.48664e-013
29  1.0000 0.00000e+000 2.34708e-005  -7.77964e-011  8.09661e-011  -8.49344e-014
【００３０】
ズーム作動の各焦点距離（ｍｍ）におけるレンズ間隔の変化は、以下の通りである。
F     24.7000    42.5000    67.8000
D( 5)    3.1863    18.8703    33.9743
D(13)   16.7273     6.6040     1.0000
D(22)    8.6767     3.3424     1.2000
D(31)   39.3869    51.9165    62.0466
【００３１】
条件式（１）（２）（３）の数値データは、以下の通りである。
（１）  (F12W×F12T)/(F34W×F34T)＝0.874
（２）  ST_W/Fw  ＝3.795
（３）  F3/F4＝1.238
【００３２】
（第３実施形態）
本発明の第３実施形態の大口径ズームレンズは、正、負、正、正の４レンズ群構成であって、各レンズ面NSの曲率半径R（mm）、各レンズ中心厚及びレンズの空気間隔D（mm）、各レンズのｄ線における屈折率Nd及びアッベ数ABVの値を以下に示す。
【００３３】
焦点距離：24.7〜42.5〜67.8
2ω：     85.0〜53.35〜34.23
FNO：     2.9〜2.9〜2.9
【００３４】
NS            R           D          Nd       ABV
1         623.8253      1.5000     1.92286  20.88
2         128.1427      6.2544     1.80420  46.50
3       -4080.6871      0.2000
4          59.2639      6.5873     1.80420  46.50
5         137.7116     D( 5)
6 ASPH    395.2735      0.3000     1.51460  49.96
7         109.7270      1.2000     1.83400  37.34
8          17.3658      8.6457
9         -36.0723      1.0000     1.71300  53.94
10          23.2704      6.8000     1.90366  31.31
11         -55.7282      4.4523
12         -22.0649      0.8000     1.49700  81.61
13         -48.6467     D(13)
14 STOP      INF         1.0000
15 ASPH     41.8693      7.5232     1.61881  63.85
16 ASPH    -89.4058      0.1500
17          89.8411      7.3848     1.49700  81.61
18         -25.1245      0.8000     1.90366  31.31
19         -39.1233      1.3419
20 ASPH    -52.2242      1.3000     1.69350  53.20
21          34.6520      3.0000     1.75520  27.53
22          92.7667     D(22)
23          25.9719      7.3123     1.49700  81.61
24         -50.4719      0.2000
25         -97.3238      2.0000     1.90366  31.31
26          55.0604      6.8498     1.71300  53.94
27         -55.0604      0.2000
28 ASPH    -86.4357      1.5000     1.82080  42.71
29 ASPH    487.5778      2.3534
30        -104.0408      2.3584     1.69350  53.34
31         -60.0000     D(31)
【００３５】
非球面係数の値は、以下のとおりである。
ASPH  ε       2(A)         4(B)           6(C)          8(D)          10(E)
6  1.0000 0.00000e+000 1.52161e-005  -2.64328e-008  7.13362e-011  -1.38028e-013
15  0.0761 0.00000e+000 1.59895e-006   2.70095e-008 -6.37095e-011   4.43442e-013
16  1.0000 0.00000e+000 5.55796e-006   9.34166e-009  1.60766e-010  -7.20357e-013
20  1.0000 0.00000e+000 3.70571e-006   1.35239e-009  2.19659e-011  -1.42422e-013
28  1.0000 0.00000e+000 2.17520e-007   1.04129e-008 -2.88399e-011  -1.15861e-013
29  1.0000 0.00000e+000 1.69936e-005   2.96400e-008  1.19806e-012  -3.54092e-014
【００３６】
ズーム作動の各焦点距離（ｍｍ）におけるレンズ間隔の変化は、以下の通りである。
F     24.7000    42.5000    67.8000
D( 5)    3.1759    18.9255    34.1224
D(13)   16.6843     6.5856     1.0000
D(22)    8.3160     3.2312     1.2000
D(31)   40.1396    52.8165    63.0609
【００３７】
条件式（１）（２）（３）の数値データは、以下の通りである。
（１）  (F12W×F12T)/(F34W×F34T)＝0.855
（２）  ST_W/Fw  ＝3.795
（３）  F3/F4＝1.24
【００３８】
（第４実施形態）
本発明の第４実施形態の大口径ズームレンズは、正、負、正、正の４レンズ群構成であって、各レンズ面NSの曲率半径R（mm）、各レンズ中心厚及びレンズの空気間隔D（mm）、各レンズのｄ線における屈折率Nd及びアッベ数ABVの値を以下に示す。正の第３レンズ群は、正のレンズ群G31と負のレンズ群G32とからなり、ズーム変倍時、正のレンズ群G31と負のレンズ群G32間隔を変化させ、手振れ補正のためのレンズ移動は、第３レンズ群の負のレンズ群G31を光軸垂直方向へ移動させることで行う。
【００３９】
焦点距離： 24.7〜42.5〜67.8
2ω：      85.0〜53.35〜34.23
FNO：      2.9〜2.9〜2.9
【００４０】
NS            R           D          Nd       ABV
1         935.8082      1.5000     1.92286  20.88
2         141.0527      6.1958     1.80420  46.50
3       -1146.6586      0.2000
4          59.8022      6.4783     1.80420  46.50
5         138.1563     D( 5)
6 ASPH    314.9264      0.3000     1.51460  49.96
7         105.8749      1.2000     1.83400  37.34
8          17.3128      8.6870
9         -34.9525      1.0000     1.71300  53.94
10          23.1270      6.6500     1.90366  31.31
11         -55.8238      4.2654
12         -21.9452      0.8000     1.49700  81.61
13         -44.4267     D(13)
14 STOP      INF         1.0000
15 ASPH     45.6293      6.7500     1.61881  63.85
16 ASPH    -83.5479      0.1500
17          95.4151      7.5000     1.49700  81.61
18         -23.9796      0.8000     1.90366  31.31
19         -37.4030     D(19)
20 ASPH    -47.5340      1.3000     1.69350  53.20
21          36.6179      3.0000     1.75520  27.53
22         111.2047     D(22)
23          25.8440      8.0000     1.49700  81.61
24         -52.5335      0.2000
25        -103.1176      2.0000     1.90366  31.31
26          54.7004      6.0104     1.71300  53.94
27         -54.7004      0.2000
28 ASPH    -84.7582      1.5000     1.82080  42.71
29 ASPH    487.5778      2.4845
30        -102.2081      2.3423     1.74330  49.22
31         -60.0000     D(31)
【００４１】
非球面係数の値は、以下のとおりである。
ASPH   ε      2(A)         4(B)           6(C)          8(D)          10(E)
6  1.0000 0.00000e+000 1.43821e-005  -2.52546e-008  7.46124e-011  -1.61976e-013
15  0.0883 0.00000e+000 1.63947e-006   2.74286e-008 -1.09388e-010   6.10564e-013
16  1.0000 0.00000e+000 5.27374e-006   4.71512e-009  1.56698e-010  -8.27035e-013
20  1.0000 0.00000e+000 4.43544e-006  -5.49207e-010  1.55881e-011  -1.14261e-013
28  1.0000 0.00000e+000 5.26332e-006  -5.66812e-009 -6.55846e-012  -1.35552e-013
29  1.0000 0.00000e+000 2.25411e-005   1.29573e-008  3.31551e-011  -6.66568e-014
【００４２】
ズーム作動の各焦点距離（ｍｍ）におけるレンズ間隔の変化は、以下の通りである。
F     24.7000    42.5000    67.7990
D( 5)    3.2354    18.8990    34.5562
D(13)   17.0881     6.6767     1.0000
D(19)    2.0000     1.6500     1.3596
D(22)    8.1524     3.0901     1.2000
D(31)   40.3258    53.2243    63.2093
【００４３】
条件式（１）（２）（３）の数値データは、以下の通りである。
（１）  (F12W×F12T)/(F34W×F34T)＝0.876
（２）  ST_W/Fw  ＝3.794
（３）  F3/F4＝1.302
【符号の説明】
【００４４】
S             絞り
GL１          第１レンズ群
GL２          第２レンズ群
GL３          第３レンズ群
GL４          第４レンズ群
１            第１面
２            第２面
３            第３面
４            第４面
５            第５面
６            第６面
７            第７面
８            第８面
９            第９面
１０          第１０面
１１          第１１面
１２          第１２面
１３          第１３面
１４          第１４面
１５          第１５面
１６          第１６面
１７          第１７面
１８          第１８面
１９          第１９面
２０          第２０面
２１          第２１面
２２          第２２面
２３          第２３面
２４          第２４面
２５          第２５面
２５          第２５面
２６          第２６面
２７          第２７面
２８          第２８面
２９          第２９面
３０          第３０面
３１          第３１面
【図１】
2013044795.tif 000004
【図２】
2013044795.tif 000005
【図３】
2013044795.tif 000006
【図４】
2013044795.tif 000007
【図５】
2013044795.tif 000008
【図６】
2013044795.tif 000009
【図７】
2013044795.tif 000010
【図８】
2013044795.tif 000011
【図９】
2013044795.tif 000012
【図１０】
2013044795.tif 000013
【図１１】
2013044795.tif 000014
【図１２】
2013044795.tif 000015
【図１３】
2013044795.tif 000016
【図１４】
2013044795.tif 000017
【図１５】
2013044795.tif 000018
【図１６】
2013044795.tif 000019
【図１７】
2013044795.tif 000020
【図１８】
2013044795.tif 000021
【図１９】
2013044795.tif 000022
【図２０】
2013044795.tif 000023
【図２１】
2013044795.tif 000024
【図２２】
2013044795.tif 000025
【図２３】
2013044795.tif 000026
【図２４】
2013044795.tif 000027
【図２５】
2013044795.tif 000028
【図２６】
2013044795.tif 000029
【図２７】
2013044795.tif 000030
【図２８】
2013044795.tif 000031
【手続補正書】
【提出日】平成24年11月13日(2012.11.13)
【手続補正１】
【補正対象書類名】明細書
【補正対象項目名】０００６
【補正方法】変更
【補正の内容】
【０００６】
【特許文献１】特開２０００−３２１４９７号
【特許文献２】特開２００４−１０１７３９号
【特許文献３】特開２０１０−２６６５３４号
【手続補正２】
【補正対象書類名】明細書
【補正対象項目名】００１１
【補正方法】変更
【補正の内容】
【００１１】
本発明は、
物体側から像面側へ順に、正の屈折力の第１レンズ群ＬＧ１、負の屈折力の第２レンズ群ＬＧ２、正の屈折力の第３レンズ群ＬＧ３、正の屈折力の第４レンズ群ＬＧ４で構成し、第１レンズ群ＬＧ１ないし第４レンズ群ＬＧ４の各レンズ群の間隔を変化させて変倍を行い、第３レンズ群の一部のレンズが光軸と垂直方向へ移動して、手振れ補正を行い、下記の条件式（１）を満足することを特徴とする大口径ズームレンズ。
0.7＜(F12W×F12T)/(F34W×F34T)＜1.1                      ・・・・・（１）
但し
F12W  ：  広角端で第1群と第2群の合成焦点距離
F34W  ：  広角端で第3群と第4群の合成焦点距離
F12T  ：  望遠端で第1群と第2群の合成焦点距離
F34T  ：  望遠端で第3群と第4群の合成焦点距離
である。
【手続補正３】
【補正対象書類名】特許請求の範囲
【補正対象項目名】全文
【補正方法】変更
【補正の内容】
【特許請求の範囲】
【請求項１】
物体側から像面側へ順に、正の屈折力の第１レンズ群ＬＧ１、負の屈折力の第２レンズ群ＬＧ２、正の屈折力の第３レンズ群ＬＧ３、正の屈折力の第４レンズ群ＬＧ４で構成し、第１レンズ群ＬＧ１ないし第４レンズ群ＬＧ４の各レンズ群の間隔を変化させて変倍を行い、第３レンズ群の一部のレンズが光軸と垂直方向へ移動して、手振れ補正を行い、下記の条件式（１）を満足することを特徴とする大口径ズームレンズ。
0.7＜(F12W×F12T)/(F34W×F34T)＜1.1                  ・・・・・（１）
但し
F12W  ：  広角端で第1群と第2群の合成焦点距離
F34W  ：  広角端で第3群と第4群の合成焦点距離
F12T  ：  望遠端で第1群と第2群の合成焦点距離
F34T  ：  望遠端で第3群と第4群の合成焦点距離
【請求項２】
請求項１に記載の大口径ズームレンズにおいて、広角端における絞り位置と広角端の焦点距離Fｗが、以下の条件式（２）を満足することを特徴とする大口径ズームレンズ。
3.2＜ST_W/Fｗ＜4                                     ・・・・・（２）
但し
ST_W   ：  広角端における、絞りから結像面までの距離
Fｗ    ：  広角端における光学全系の焦点距離
【請求項３】
請求項１に記載の大口径ズームレンズにおいて、第３レンズ群ＬＧ３の焦点距離と第４レンズ群ＬＧ４の焦点距離は下記の条件式（３）を満足することを特徴とする大口径ズームレンズ。
1.0＜F3/F4＜1.5                                      ・・・・・（３）
但し
F3  ：  第3レンズ群LG3の焦点距離
F4  ：  第4レンズ群LG4の焦点距離